(57)【要約】【課題】  映画等の著作権を持つ側の利益と、映画等の映像情報をいつでもどこでも楽しみたい一般の消費者の両者に利益をもたらす新しい仕組み（ユビキタスムービー）を創造することが課題である。【解決手段】  著作権者がコピー禁止等を必要とする高画質の映像情報については、ＤＶＤ等で実施されているコピー禁止等の著作権制御を行い、この映像情報に加えて解像度等を半分以下に制限し、著作権者がコピー等を許可できるレベルの画質に制限した映像情報にコピー、ムーブ、ダウンロード等が可能な著作権保護情報を付けて記録した映像情報記録済み媒体を作成する。この映像情報記録済み媒体から解像度を制限された映像情報を読み出し、屋外で使いやすい小型の媒体にこの解像度を制限された映像情報を記録する。解像度を制限された映像情報が記録された小型媒体を小型ディスプレイ付き再生装置で再生し、小型ディスプレイに映出する。【選択図】  図１
2010148127.tif 000002
【特許請求の範囲】
【請求項１】
解像度の異なる二つ以上の画像情報を記録する記録方法であって、
前記画像情報の解像度に関連した著作権保護情報を付加し、
前記解像度に関連した著作権保護情報が付加された画像情報を記録する事を特徴とする記録方法。
【請求項２】
解像度の異なる二つ以上の画像情報が記録されている記録媒体から前記画像情報を再生し、出力する出力方法であって、
前記画像情報の解像度に関連した著作権保護情報が付加された画像情報を再生し、
前記再生された画像情報の解像度に応じて出力先を異ならせて出力する事を特徴とする出力方法。
【請求項３】
所定の解像度の第１の画像情報及び前記所定の解像度に比して低解像度の第２の画像情報を記録する記録方法であって、
前記第１の画像情報には第１の著作権保護情報を付加し、
前記第２の画像情報には前記第１の著作権保護情報よりも制限度の低い第２の著作権保護情報を付加し、
前記第１の著作権保護情報が付加された第１の画像情報及び前記第２の著作権保護情報が付加された第２の画像情報を記録する事を特徴とする記録方法。
【請求項４】
請求項２記載の出力方法であって、
前記再生された画像情報の解像度が所定の解像度である場合には、前記再生された画像情報を外部に出力し、
前記再生された画像情報の解像度が所定の解像度よりも低い解像度である場合には、前記再生された画像情報を外部ではないディスプレイに出力する事を特徴とする出力方法。
【請求項５】
圧縮率の異なる二つ以上のデジタル情報を記録する記録方法であって、
前記デジタル情報の圧縮率に関連した著作権保護情報を付加し、
前記圧縮率に関連した著作権保護情報が付加された前記デジタル情報を記録する事を特徴とする記録方法。
【請求項６】
圧縮率の異なる二つ以上のデジタル情報が記録されている記録媒体から前記デジタル情報を再生し、出力する出力方法であって、
前記デジタル情報の圧縮率に関連した著作権保護情報が付加されたデジタル情報を再生し、
前記再生されたデジタル情報の圧縮率に応じて出力先を異ならせて出力する事を特徴とする出力方法。
【請求項７】
所定の圧縮率の第１のデジタル情報及び前記所定の圧縮率に比して高圧縮率の第２のデジタル情報を記録する記録方法であって、
前記第１のデジタル情報には第１の著作権保護情報を付加し、
前記第２のデジタル情報には前記第１の著作権保護情報よりも制限度の低い第２の著作権保護情報を付加し、
前記第１の著作権保護情報が付加された第１のデジタル情報及び前記第２の著作権保護情報が付加された第２のデジタル情報を記録する事を特徴とする記録方法。
【請求項８】
請求項２記載の出力方法であって、
前記再生されたデジタル情報の圧縮率が所定の圧縮率である場合には、前記再生されたデジタル情報を外部に出力し、
前記再生されたデジタル情報の圧縮率が所定の圧縮率よりも低い圧縮率である場合には、前記再生されたデジタル情報を外部ではないディスプレイに出力する事を特徴とする出力方法。
【請求項９】
フォーマットが異なる二つ以上のデジタル情報を記録する記録方法であって、
前記デジタル情報のフォーマットに関連した著作権保護情報を付加し、
前記フォーマットに関連した著作権保護情報を付加したデジタル情報を記録する事を特徴とする記録方法。
【請求項１０】
請求項３記載の記録方法において、
解像度の高い画像情報は解像度の低い画像情報に比して、制限度の高い著作権保護情報を付加し、解像度の低い画像情報は解像度の高い画像情報に比して、制限度の低い著作権保護情報を付加する事で、著作権者の利益とユーザの利益の両方に資する事を特徴とする記録方法。
【請求項１１】
請求項７記載の記録方法において、
圧縮率の低いデジタル情報は圧縮率の高いデジタル情報に比して、制限度の高い著作権保護情報を付加し、圧縮率の高いデジタル情報は圧縮率の低いデジタル情報に比して、制限度の低い著作権保護情報を付加する事で、著作権者の利益とユーザの利益の両方に資する事を特徴とする記録方法。
【請求項１２】
解像度の異なる二つ以上の画像情報が記録された記録媒体であって、
前記画像情報の解像度に関連した著作権保護情報がそれぞれの画像情報に付加された画像情報が記録されている事を特徴とする記録媒体。
【請求項１３】
第１の著作権保護情報が付加された第１の画像情報と、
前記第１の著作権保護情報よりも制限度の低い前記第２の著作権保護情報が付加された第２の画像情報と、が記録され、
前記第１の画像情報は前記第２の画像情報よりも解像度が高い事を特徴とする記録媒体。
【請求項１４】
第１の著作権保護情報が付加された第１のデジタル情報と、  
前記第１の著作権保護情報よりも制限度の低い第２の著作権保護情報が付加された第２のデジタル情報と、が記録され、
前記第１のデジタル情報に比して前記第２のデジタル情報は高圧縮率で圧縮されたことを特徴とする記録媒体。
【請求項１５】
請求項３記載の記録方法であって、
前記第１の著作権保護情報が付加された第１の画像情報及び前記第２の著作権保護情報が付加された第２の画像情報を記録媒体上の異なる領域に記録する事を特徴とする記録方法。
【請求項１６】
請求項７記載の記録方法であって、
前記第１の著作権保護情報が付加された第１のデジタル情報及び前記第２の著作権保護情報が付加された第２のデジタル情報を記録媒体上の異なる領域に記録する事を特徴とする記録方法。
【請求項１７】
請求項１４記載の記録媒体において、前記第１のデジタル情報及び前記第２のデジタル情報はそれぞれ異なる領域に記録されている事を特徴とする記録媒体。
【請求項１８】
第１の解像度と第１の著作権保護情報を持つ第１の映像情報と、第２の解像度と第２の著作権保護情報を持つ第２の映像情報の両映像情報を少なくとも同一の媒体に記録する映像情報の記録再生方式において、第１の解像度を第２の解像度の２倍以上に選ぶとともに、第１の著作権保護情報を第２の著作権保護情報よりも著作権をより制限する条件に選ぶことを特徴とする映像情報の映像情報記録再生方式。
【請求項１９】
請求項１８記載の映像情報の記録再生方式において、第１の映像情報を第１の画像圧縮方法で圧縮し、第２の映像情報を第２の画像圧縮方式で画像圧縮するとともに、第２の画像圧縮方法の画像データ圧縮率が第１の画像圧縮方法の画像データ圧縮率よりも高くなるように第２の画像圧縮方法を選ぶことを特徴とする映像情報の映像情報記録再生方式。
【請求項２０】
請求項１８記載の映像情報の映像情報記録再生方式において、第２の映像情報に付随する第２の音声情報を第２の音声圧縮方法で圧縮した後に記録するとともに、第１の映像情報に付随する第１の音声情報を第１の音声圧縮方法で圧縮した後に記録するとともに、第２の音声圧縮方法の音声データ圧縮率が第１の音声圧縮方法の音声データ圧縮率より高くなるように第２の音声圧縮方法を選ぶことを特徴とする映像情報の映像情報記録再生方式。
【発明の詳細な説明】
【技術分野】
【０００１】
本発明は、デジタル情報の記録方法等に関するものである。
【背景技術】
【０００２】
近年、ＤＶＤディスクは映画ソフトのパッケージメディアとして使用され、ＤＶＤディスクを再生するＤＶＤプレーヤが全世界で普及している。この映画ソフトのパッケージメディアとして使用されているＤＶＤディスクの著作権を保護する仕組みについては、非特許文献１のＤＶＤ  ＲＯＭの規格書に規定されている。この著作権を保護する仕組みとしては、記録されているコンテンツに対して、コピー禁止、１世代コピー可能（コピーワンス）、またはコピー可能のコピー条件に関する著作権保護情報が記載されている。
【０００３】
また、このＤＶＤディスク及びＤＶＤプレーヤにおいては、一般ユーザの不正コピーを防ぐＤＶＤ著作権保護システムＣＳＳ（Ｃｏｎｔｅｎｔ  Ｓｃｒａｍｂｌｅ  Ｓｙｓｔｅｍ）の例が非特許文献２に記載されている。
【先行技術文献】
【特許文献】
【０００４】
【特許文献１】特開平１１−３１２３３６号
【非特許文献】
【０００５】
【非特許文献１】ＤＶＤ  Ｓｐｅｃｉｆｉｃａｔｉｏｎｓ  ｆｏｒ  Ｒｅａｄ−Ｏｎｌｙ  Ｄｉｓｃ  Ｐａｒｔ  １  Ｐｈｙｓｉｃａｌ  Ｓｐｅｃｉｆｉｃａｔｉｏｎｓ  Ｖｅｒｓｉｏｎ  １．０２：Ｓｅｐｔｅｍｂｅｒ  １９９９（第４４頁）Ａｔｔａｃｈｅｄ  Ｓｈｅｅｔｓ  ｆｏｒ  ＤＶＤ  Ｓｐｅｃｉｆｉｃａｔｉｏｎｓ
【非特許文献２】Ｎａｔｉｏｎａｌ  Ｔｅｃｈｎｉｃａｌ  Ｒｅｐｏｒｔ  Ｖｏｌ.４３  Ｎｏ.３  Ｊｕｎ．１９９７（第３３９頁−３４１頁）
【発明の概要】
【発明が解決しようとする課題】
【０００６】
屋外で小型・軽量な装置で映画等の映像情報を楽しむユビキタスムービーの実現には小型・軽量な媒体に映像情報をコピーする必要があるが、これに対する配慮がなされていなかった。別の表現をすると、映画等の著作権を持つ側の利益と、映画等の映像情報をいつでもどこでも楽しみたい一般の消費者の利益が相反する現状に対し、両者に利益をもたらす新しい仕組み（ユビキタスムービー）を追加創造することが課題といえる。
【０００７】
また、前記非特許文献２においては、著作権のある映画ソフト（コピー禁止）などのコンテンツについては、ディスクに記録するコンテンツに暗号化をかけて一般ユーザが不正にコピーできないような仕組みを採用している。しかしながら、このようなＤＶＤディスクにおいては、同一媒体上の映像情報のコピー制限を限定する著作権保護情報は一律であり、同一媒体上にコピー制限の異なる複数の映像情報が記録される媒体の記録・再生については記載されていない。従って、例えば解像度等の異なる２以上のデジタル情報を記録した場合の著作権保護上の取り扱いも一律になり、著作権者の利益は保護されるものの、他の機器等にコピーして手軽に見たいというユーザの立場からは課題が残る。
【０００８】
また、上層と下層の２つの記録層を有する片面２層の光ディスクにおいて、上層と下層で解像度の異なる画像を記録し、それぞれを個別のピックアップで再生する例が特許文献１に記載されている。しかし、この特許文献１においては、コピーに関する著作権保護情報の取り扱いは考慮されていない。従って、著作権者の利益を保護する上では課題が残る。
【０００９】
本発明の目的は、このような課題に鑑み、著作権保護及びユーザメリットの両方に資する記録方法等を提供する事にある。
【００１０】
本発明の目的は、コピーを禁止する高画質の映像情報と小型ディスプレイで楽しめるレベルに解像度等を制限した低画質の映像情報を同一媒体上に記録し、低画質の映像情報を小型の媒体にコピーできるようにすることである。例えば、この仕組みにより屋外等でも小型媒体を再生し、映画等の映像情報を小型ディスプレイで楽しむことが可能になる。
【課題を解決するための手段】
【００１１】
前記目的を達成するために、本発明では、フォーマットが異なる二つ以上のデジタル情報を記録する記録方法であって、前記デジタル情報のフォーマットに関連した著作権保護情報を付加し、前記フォーマットに関連した著作権保護情報を付加したデジタル情報を記録する。
【発明の効果】
【００１２】
本発明によれば、著作権を保護する事ができる。
【図面の簡単な説明】
【００１３】
【図１】本発明の映像情報記録済み光ディスク媒体の実施例を示す図
【図２】本発明の映像情報記録済み光ディスク媒体の再生装置の実施例を示すブロック図
【図３】本発明の映像情報の記録装置の実施例を示すブロック図
【図４】本発明の小型ディスプレイ付き小型ディスク再生装置の実施例を示すブロック図
【発明を実施するための形態】
【００１４】
本発明は、コピーを禁止する高画質の映像情報とコピーを許可する解像度等を制限した低画質の映像情報を同一媒体上に記録した映像情報記録済み媒体から、低画質の映像情報を小型の媒体にコピーし、小型ディスプレイ付再生装置で再生するのに好適な映像情報の記録方法等に関するものである。
【実施例１】
【００１５】
以下本発明の実施例について説明する。図１は、映像情報記録済み光ディスク媒体の一実施例の構成例を示したものである。１は光ディスク媒体、２は第１の映像情報の記録エリア、３は第２の映像情報の記録エリアである。
【００１６】
次に、図１に示した実施例の映像情報記録済み光ディスク媒体について説明する。光ディスク媒体１としてＤＶＤと同じ直径１２ｃｍの光ディスクを用い、ディスクの内周にコピー禁止の第１の映画情報(水平６４０画素、垂直４８０画素)を映像情報はＭＰＥＧ２で画像圧縮し、音声情報はＭＰＥＧ１で圧縮し、両者他を合成した第１のデジタルデータを作成し、これを記録エリア２に記録し、第１の映像情報の水平及び垂直の両解像度をどちらも半分に制限した第２の映像情報（水平３２０画素、垂直２４０画素）をＨ.２６４ＡＶＣで画像圧縮し、音声情報はＭＰ３で圧縮し、両者他を合成した第２のデジタルデータを作成し、記録エリア３に記録する。この場合、第２のデジタルデータのデータ量は第１のデジタルデータ比１／８程度になるので、現行のＤＶＤプリレコーデッドディスクに第２のデジタルデータを追加することは容易となり、実施例では両者の記録エリアを内周と外周に分けたが、両者を時分割多重で同じエリアに記録することもできる。
【００１７】
また、実施例では高画質映像情報を６４０ｘ４８０、低画質映像情報を３２０ｘ２４０としているが、青紫レーザを用いる光ディスクを媒体とする場合は高画質映像情報を１９２０ｘ１０８０、低画質映像情報を９６０ｘ５４０以下に選択することもできる。
【００１８】
また、実施例では同じ映画情報を高画質と低画質の両方で記録しているが、著作権者の意向に従い、同じ映画だが低画質の映画には高画質の映画とは異なる編集を行い、低画質の映画の上映時間が高画質の映画より短く記録することもできる。
【００１９】
また、実施例では画像圧縮方式として高画質映像情報にはＭＰＥＧ２、低画質映像情報にはＨ．２６４ＡＶＣを選んだが、どちらも同じＭＰＥＧ２あるいはＨ．２６４ＡＶＣを選択することもできるし、低画質映像情報にはＰＣとの接続性の良いＶＣ９を選択しても良い。
【００２０】
第１、第２の２つの映像情報の組み合わせ方として、第２の映像情報を第１の映像情報から子供等にとって望ましくない暴力シーンや卑猥なシーン等を削除するかあるいは解像度を更に落としたものを選ぶことで、第２の映像情報を種々のメディアにコピーして誰でもがどこででも楽しみ易くすることができる。
【００２１】
また、実施例では光ディスク媒体として直径１２ｃｍの光ディスク媒体を用いているが、直径８ｃｍの光ディスク媒体を用い、上記の第１の映像情報と第２の映像情報を同一媒体上に記録することもできる。
【００２２】
図２は本発明の映像情報記録済み光ディスク媒体１の再生装置の構成例を示したものである。
【００２３】
図２において、５は光ディスク装置、６は光ヘッド７や誤り訂正処理などのデジタル信号処理回路８を含む読み出し装置、９は現行のＤＶＤプレーヤと同様の信号処理装置、１０はアナログビデオ信号、１１は音声信号、１２はフラッシュメモリカード、１３はＨＤＤ、１４は誤り訂正処理後の第１のデジタルデータ、１５は誤り訂正処理後の第２のデジタルデータ、１６は第１の映像情報に付加された著作権保護情報、１７は第２の映像情報に付加された著作権保護情報である。
【００２４】
図２では光ディスク装置５は再生モード、フラッシュメモリカード１２、ＨＤＤ１３は記録モードになっており、光ディスク装置５には直径１２ｃｍの映像情報記録済み光ディスク媒体１が装着されており、読み出し装置６が記録済み光ディスク媒体１から共通の光ヘッド７で第１映像情報及び第２の映像情報を読み出し、共通のデジタル信号処理回路８で両データの誤り訂正処理等を行った後、それぞれ第１のデジタルデータ１４及び第２のデジタルデータ１５を出力する。
【００２５】
第１のデジタルデータ１４は信号処理装置９に入力され、復号回路１８により暗号の復号、画像伸張回路１９及び音声伸張回路２０により、それぞれ画像伸張、音声伸張等が施され、更に著作権情報付加回路２１により、コピー禁止の著作権保護情報を付加された後、アナログビデオ信号１０と音声信号１１として出力される。
【００２６】
読み出し装置６から出力される誤り訂正後の第２のデジタルデータ１５は、映像も音声情報も圧縮されたままフラッシュメモリカード１２に入力され記録されるか、ＨＤＤ１３に入力され記録される。
【００２７】
図２の読み出し装置６は、著作権情報読出し回路２２により第１の映像情報に付加された著作権保護情報（例：コピー禁止）１６を読出し、信号処理装置９の著作権情報付加回路２１を制御し、アナログビデオ信号１０にマクロビジョン信号やＣＧＭＳ−Ａ（例：コピー禁止）を付加する。
【００２８】
読出し装置６の著作権情報読出し回路２２は、第２の映像情報に付加された著作権保護情報（例：コピーワンス）１７を読み出し、フラッシュメモリカード１２、ＨＤＤ１３に記録される著作権保護情報（例：コピー禁止だがムーブ可能）を付加する。
【００２９】
第１及び第２の映像にVeil信号(コピー禁止を示す1bitの電子透かし)が付加されている場合は、アナログビデオ信号10、第1のデジタルデータ14及び第2のデジタルデータ15にもこのVeil信号が含まれる。第2の映像情報３のVeil(コピー禁止)とCGMS-D（コピーワンス）は矛盾するが、著作権情報読み出し回路22はVeil信号を無視し、CGMS-Dだけを読むので、CGMS-Dがコピーワンスの場合は、第2のデジタルデータ15はユーザの選択に従い、フラッシュメモリカード12あるいはHDD13のどちらか一方に記録される。したがって、フラッシュメモリカード12,HDD13にコピーされた第2の映像情報ではVeilとCGMS-Dが一致する。
【００３０】
図３は本発明の映像情報の記録装置を示したものである。図３において、２３は直径８ｃｍの光ディスク媒体、２４は信号選択回路、２５は記録用の第２のデジタルデータ、２６は光ディスクの書き込み装置である。図３ではフラッシュメモリカード１２、ＨＤＤ１３は再生モード、光ディスク装置５は記録モードになっており、直径８ｃｍの記録可能な光ディスク媒体２３が光ディスク装置５に装着されており、フラッシュメモリカード１２あるいはＨＤＤ１３から再生され、信号選択回路２４で選択出力された第２のデジタルデータ２５は書き込み装置２６を経て小型光ディスク媒体２３に記録される。
【００３１】
第２のデジタルデータ２５は信号処理装置９にも供給され、信号処理装置９の画像伸張１９、音声伸張２０は第２のデジタルデータ２５の画像圧縮方式、音声圧縮方式を判別し、画像伸張１９の画像用デコーダをＨ．２６４ＡＶＣに、音声伸張２０の音声用デコーダをＭＰ３に切り替え、アナログビデオ信号１０と音声信号１１を出力する。書き込み装置２６は第２のデジタルデータ２５から著作権保護情報を読み取り、小型の光ディスク２３には第２のデジタルデータ２５とは異なる著作権保護情報（例：ムーブ禁止及びコピー禁止）を書き込み、信号処理装置９にも上記データ２５とは異なる著作権保護情報（例：コピー禁止）を出力し、アナログビデオ信号１０にマクロビジョン信号、ＣＧＭＳ−Ａ（コピー禁止）を付加する。
【００３２】
図４は本発明の図３で作成した小型の光ディスク媒体２３を屋外で楽しむ小型ディスプレイ付き映像情報の再生装置の実施例である。図４において、２７は小型ディスプレイ付き映像情報の再生装置、２８は８ｃｍ光ディスク媒体２３の再生装置、２９は第１及び第２の映像情報を再生する信号処理回路、３０は小型ディスプレイ、３１は著作権保護情報及びＶｅｉｌ情報や電子透かし情報の著作権保護情報読出し回路、３２はＶｅｉｌ情報や電子透かし情報を含む映像情報、３３はビデオ信号制御信号、３４はビデオ信号出力端子、３５は音声信号出力端子である。
【００３３】
図４では小型の光ディスク媒体２３に記録された情報が光ディスク再生装置２８で読み出され、信号処理回路２９で暗号の解読、画像伸張、音声伸張及びビデオ信号の出力制御等を施された後、ビデオ信号に戻された信号は小型ディスプレイ３０とビデオ信号出力端子３４へ出力され、音声信号に戻された信号は音声出力端子３５に出力される。小型の光ディスク媒体としては、図３で作成したような低画質映像情報である第２の映像情報を記録した光ディスク媒体だけでなく、図１の実施例において前述したような高画質映像情報である第１の映像情報と第２の映像情報を同一媒体上に記録済みであるプリレコーデッドの８ｃｍ光ディスク媒体、及び現在市販されている高画質情報のプリレコーデッドの８ｃｍ光ディスク媒体がある。小型ディスプレイ付き再生装置２７はこれらの８ｃｍ光ディスク媒体を再生することが出来る。
【００３４】
これらの８ｃｍ光ディスク媒体に記録されている情報としては、ＤＶＤ規格で記録された高画質映像情報としての映画と、本発明の解像度制限された映画があるので、信号処理回路２９では光ディスク再生装置２８からの信号がどちらの映画かを判別する必要があり、両方式の暗号方式が異なる場合は、最初に暗号方式の判別を行い、判別結果に従い暗号の解読を実施し、次に映像、音声の圧縮方式の判別と映像の解像度情報を判別し、両方の判別結果に従い画像伸張、音声伸張を実施する。映像信号にＶｅｉｌ情報や電子透かし情報が含まれる場合は、著作権保護情報読出し回路３１で映像情報３２に含まれる著作権保護情報及びＶｅｉｌ情報や電子透かし情報を読み出し、著作権保護情報がＶｅｉｌ情報あるいは電子透かし情報と一致しない場合はビデオ信号制御信号３３により信号処理回路２９を制御し、小型ディスプレイ３０へのビデオ信号の供給を停止する。
【００３５】
読み出された情報が信号処理回路２９で高画質映像情報と判別された場合は、信号処理回路２９は常にビデオ出力端子３４に高画質ビデオ信号を供給するが、信号処理回路２９が小型の光ディスク媒体２３から読み出された情報が低画質映像情報と判別した場合はビデオ信号出力端子３４へのビデオ信号の供給を停止する。図４に示す本発明の小型ディスプレイ付き映像情報の再生装置２７は、持ち運びが容易な小型ディスプレイ付き映像情報の再生装置であり、高画質の第１の映像情報を見たい場合には、屋外で楽しむだけでなく屋内の大型のディスプレイに接続することが可能である。
【００３６】
図４の実施例では、読み出された情報が信号処理回路２９で高画質映像情報と判別された場合は、ビデオ信号出力端子３４と音声信号出力端子３５からそれぞれビデオ信号、音声信号が出力されるが、信号処理回路２９から誤り訂正後の圧縮されたままの映像信号と音声信号を含むビットストリーム信号を出力するデジタル信号出力端子（実施例は図示せず）を設けて出力しても良い。デジタル信号出力端子としては、映像信号の著作権保護情報を付加して伝送できる著作権保護機能付き１３９４がある。また、デジタル信号出力端子として、圧縮されたままのビットストリーム信号でなく、信号処理回路２９で画像伸張、音声伸張されたベースバンド映像信号及び音声信号を含むデジタルデータを出力するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）を設けても良い。出力端子としては、ビデオ信号出力端子３４、音声信号出力端子３５の代わりに上記したデジタル信号出力端子を設けても良いし、またはデジタル信号出力端子を追加しても良い。
【００３７】
また、本発明の図３は光ディスク媒体２３の再生装置２８の実施例であるが、図示はしていないが再生装置としてフラッシュメモリカード１２、またはＨＤＤ１３に記録された映像情報を再生する再生装置を用いても良い。
【００３８】
以上、本発明によれば、著作権所有者が２次利用を許容できる解像度制限又は圧縮率の高い画像圧縮方式によって、小型ディスプレイ等で楽しめる映画等の映像情報をＤＶＤ等の既存の媒体に追加記録することができ、著作権所有者にとっては付加価値が増した映画等の記録済み媒体（プリレコーデッド）事業を実現できるとともに、一般消費者は屋外でも小型媒体と小型ディスプレイで手軽に映画等の映像情報を楽しむことができる。
【００３９】
また、本発明によれば所定の解像度（又は所定の圧縮率）のデジタル情報及び所定の解像度よりも低解像度（又は高圧縮率）のデジタル情報のそれぞれに前記解像度や圧縮率に関連して、異なる著作権保護情報、例えば、所定の解像度又は圧縮率のデジタル情報にはコピー禁止などの著作権保護情報を付加し、所定の解像度よりも低解像度又は高圧縮率のデジタル情報にはコピーワンスやムーブ可能などの前記所定の解像度又は圧縮率のデジタル情報に付加した著作権保護情報に比して制限度の低い著作権保護情報を付加するため、著作権を保護し、著作権者に利益を与えると同時に、ユーザメリットにも資する事ができる。
【産業上の利用可能性】
【００４０】
本発明は、屋外等でも小型光ディスク媒体を再生し、映画等の映像情報を小型ディスプレイで楽しむ再生装置において、解像度制限をした低画質の映像情報をコピーした小型光ディスク媒体を再生装置で再生することが出来るシステムに有効である。
【符号の説明】
【００４１】
１…光ディスク媒体、２…第１の映像情報の記録エリア、３…第２の映像情報の記録エリア、５…光ディスク装置、６…読出し装置、７…光ヘッド、８…デジタル信号処理回路、９…信号処理装置、１２…フラッシュメモリカード、１３…ＨＤＤ、１４…第１のデジタルデータ、１５…第２のデジタルデータ、２１…著作権情報付加回路、２２…著作権情報読出し回路、２３…直径８ｃｍの光ディスク媒体、２４…信号選択回路、２８…光ディスク再生装置、２９…信号処理回路、３０…小型ディスプレイ
【図１】
2010148127.tif 000003
【図２】
2010148127.tif 000004
【図３】
2010148127.tif 000005
【図４】
2010148127.tif 000006
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
同じ映像情報に基づいて生成された所定の解像度の第１の圧縮映像情報及び前記所定の解像度に比して低解像度の第２の圧縮映像情報とが記録された記録媒体を再生する再生装置であって、
前記第１の圧縮映像情報は、前記映像情報を第１の画像圧縮方法により所定の解像度で圧縮し、コピーを禁止する第１の著作権保護情報が付加された情報であり、
前記第２の圧縮映像情報は、前記映像情報を、解像度の低い映像情報に変換し、前記第１の圧縮方法とは異なる第２の画像圧縮方法により、前記第１の圧縮映像情報に比して低解像度かつ高圧縮率で圧縮し、前記第１の著作権保護情報よりも制限度の低いコピーを可とする第２の著作権保護情報が付加された情報であり、
前記第１の圧縮映像情報または前記第２の圧縮映像情報を再生する再生手段と、
前記第１の圧縮映像情報を再生する場合に、再生した前記第１の圧縮映像情報を前記第１の画像圧縮方法によって復号して表示手段に出力する復号手段と、
前記第２の圧縮映像情報を再生する場合に、再生した前記第２の圧縮映像情報を記録手段に出力して前記第２の圧縮映像情報を他の記録媒体へのコピーを可能とする出力手段とを備えたこと特徴とする再生装置。
【請求項２】
前記第１の圧縮映像情報と前記第２の圧縮映像情報は、それぞれ異なる暗号化方式で暗号化されて前記記録媒体上に記録されており、前記再生手段は、前記第１の圧縮映像情報または前記第２の圧縮映像情報の再生においては、それぞれの暗号化方式に対応して暗号の復号を行うことを特徴とする請求項１に記載の再生装置。
【請求項３】
同じ映像情報に基づいて生成された所定の解像度の第１の圧縮映像情報及び前記所定の解像度に比して低解像度の第２の圧縮映像情報とが記録された記録媒体を再生する再生方法であって、
前記第１の圧縮映像情報は、前記映像情報を第１の画像圧縮方法により所定の解像度で圧縮し、コピーを禁止する第１の著作権保護情報が付加された情報であり、
前記第２の圧縮映像情報は、前記映像情報を、解像度の低い映像情報に変換し、前記第１の圧縮方法とは異なる第２の画像圧縮方法により、前記第１の圧縮映像情報に比して低解像度かつ高圧縮率で圧縮し、前記第１の著作権保護情報よりも制限度の低いコピーを可とする第２の著作権保護情報が付加された情報であり、
前記第１の圧縮映像情報または前記第２の圧縮映像情報を再生し、
前記第１の圧縮映像情報を再生する場合には、再生した前記第１の圧縮映像情報を前記第１の画像圧縮方法によって復号して表示手段に出力し、
前記第２の圧縮映像情報を再生する場合には、再生した前記第２の圧縮映像情報を記録手段に出力し、前記第２の圧縮映像情報を他の記録媒体へのコピーを可能とすること特徴とする再生方法。
【請求項４】
前記第１の圧縮映像情報と前記第２の圧縮映像情報は、それぞれ異なる暗号化方式で暗号化されて前記記録媒体上に記録されており、前記第１の圧縮映像情報または前記第２の圧縮映像情報の再生においては、それぞれの暗号化方式に対応して暗号の復号を行うことを特徴とする請求項３に記載の再生方法。
【手続補正３】
【補正対象書類名】明細書
【補正対象項目名】００１０
【補正方法】変更
【補正の内容】
【００１０】
前記目的を達成するためには、例えば特許請求の範囲に記載されるように構成すればよい。